(57)【要約】【課題】気流の乱れの抑制に大いに貢献することができる記録ディスク駆動装置を提供する。また、そういった記録ディスク駆動装置の実現に大いに役立つランプ部材を提供する。【解決手段】記録ディスク駆動装置１１は、支軸２３に回転自在に連結され、先端でヘッドスライダ２６を支持するヘッドアクチュエータ２１を備える。整流板４２は、支軸２３から等距離に描かれる円弧４５上で縁４４を規定する。整流板４２は、ヘッドアクチュエータ２１の先端で描かれる円弧４３の外側に配置される。こうして整流板４２はヘッドスライダ２６の下流に配置される。こうして整流板４２およびヘッドスライダ２６の間の距離はヘッドスライダ２６の位置に拘わらず一定に保持される。記録ディスク１３の回転中、ヘッドスライダ２６の下流では気流の乱れは確実に抑制されることができる。【選択図】図２
2005216444.tif 000002
【特許請求の範囲】
【請求項１】
筐体と、筐体に組み込まれる記録ディスクと、記録ディスクの表面に向き合わせられるヘッドスライダと、支軸に回転自在に連結され、先端でヘッドスライダを支持するヘッドアクチュエータと、ヘッドアクチュエータの先端で描かれる円弧の外側に配置され、支軸から等距離に描かれる円弧上で縁を規定する整流板とを備えることを特徴とする記録ディスク駆動装置。
【請求項２】
請求項１に記載の記録ディスク駆動装置において、前記記録ディスクの外側で前記筐体に固定されて、前記整流板を支持する取り付け台と、取り付け台に規定されて、前記記録ディスクのシュラウド面よりも外側で前記記録ディスクに向き合わせられる気流誘導面とをさらに備えることを特徴とする記録ディスク駆動装置。
【請求項３】
請求項２に記載の記録ディスク駆動装置において、前記気流誘導面および記録ディスクの間で区画される空間には集塵部材が配置されることを特徴とする記録ディスク駆動装置。
【請求項４】
取り付け台と、取り付け台から前方に突き出る滑り台と、滑り台の前端よりも前方に向かって取り付け台から延び、所定の曲率で描かれる円弧上で側縁を規定する整流板と、滑り台の前端に規定されて、ヘッドアクチュエータ上のロードバーを受け止める傾斜面と、傾斜面の後端から後方に向かって延びつつ滑り台上で途切れ、ヘッドアクチュエータ上のロードバーを受け止める誘導路とを備えることを特徴とする記録ディスク駆動装置用ランプ部材。
【請求項５】
取り付け台と、取り付け台から突き出て、ヘッドアクチュエータ上のロードバーを受け止める滑り台と、取り付け台に固定される集塵部材とを備えることを特徴とする記録ディスク駆動装置用ランプ部材。
【発明の詳細な説明】
【技術分野】
【０００１】
本発明は、例えばハードディスク駆動装置（ＨＤＤ）といった記録ディスク駆動装置に関し、特に、筐体と、筐体に組み込まれる記録ディスクと、記録ディスクの表面に向き合わせられるヘッドスライダと、支軸に回転自在に連結され、先端でヘッドスライダを支持するヘッドアクチュエータとを備える記録ディスク駆動装置に関する。
【背景技術】
【０００２】
例えば特許文献１の図６に開示されるように、ランプ部材を備えるハードディスク駆動装置（ＨＤＤ）は広く知られる。ランプ部材は半径方向に磁気ディスク上のデータゾーンを横切る。ランプ部材はデータゾーンよりも内周に向かってロードバーを誘導する。磁気ディスクの回転中、ランプ部材はロードバーの移動経路から離脱する。ヘッドスライダが目標の記録トラックに位置決めされる際に、ロードバーとランプ部材との衝突や接触は回避される。ランプ部材がロードバーの移動経路から離脱すると、ロードバーの移動経路およびランプ部材の間隔は磁気ディスクの外周側から内周側に向かうに従って次第に広がる。
【特許文献１】特開２００１−３３２０４８号公報
【特許文献２】米国特許第３９８４８７３号明細書
【特許文献３】米国特許第５２７４５１９号明細書
【特許文献４】米国特許第５５２６２０６号明細書
【特許文献５】米国特許第６０２８７４５号明細書
【特許文献６】米国特許出願公開第２００１／００３３４５９号明細書
【発明の開示】
【発明が解決しようとする課題】
【０００３】
磁気ディスクの回転中、磁気ディスクの表面に沿って気流が生成される。この気流はヘッドスライダに作用する。気流の働きでヘッドスライダは磁気ディスクの表面から浮上する。このとき、ヘッドスライダの下流では気流に乱れが生み出される。こういった気流の乱れはヘッドスライダと磁気ディスクとの間に相対変位を引き起こす。ヘッドスライダの位置合わせは妨げられてしまう。前述のランプ部材では気流の乱れに対して何ら配慮が払われていない。
【０００４】
本発明は、上記実状に鑑みてなされたもので、気流の乱れの抑制に大いに貢献することができる記録ディスク駆動装置を提供することを目的とする。本発明は、そういった記録ディスク駆動装置の実現に大いに役立つランプ部材を提供することを目的とする。
【課題を解決するための手段】
【０００５】
上記目的を達成するために、第１発明によれば、筐体と、筐体に組み込まれる記録ディスクと、記録ディスクの表面に向き合わせられるヘッドスライダと、支軸に回転自在に連結され、先端でヘッドスライダを支持するヘッドアクチュエータと、ヘッドアクチュエータの先端で描かれる円弧の外側に配置され、支軸から等距離に描かれる円弧上で縁を規定する整流板とを備えることを特徴とする記録ディスク駆動装置が提供される。
【０００６】
こうした記録ディスク駆動装置では、整流板はヘッドアクチュエータの先端で描かれる円弧の外側に配置される。すなわち、整流板はヘッドスライダの下流に配置される。しかも、整流板の縁は支軸から等距離に描かれる円弧上に規定される。したがって、整流板およびヘッドスライダの間の距離はヘッドスライダの位置に拘わらず一定に保持される。記録ディスクの回転中、ヘッドスライダの下流では気流の乱れは確実に抑制されることができる。
【０００７】
記録ディスク駆動装置は、記録ディスクの外側で筐体に固定されて、整流板を支持する取り付け台と、取り付け台に規定されて、記録ディスクのシュラウド面よりも外側で記録ディスクに向き合わせられる気流誘導面とをさらに備えればよい。
【０００８】
シュラウド面は、記録ディスクの外周で、記録ディスクの外周に対して等間隔に規定される。気流誘導面はそのシュラウド面よりも外側で記録ディスクに向き合わせられる。こうして記録ディスクおよび気流誘導面の間には空間が区画される。記録ディスクの回転中、整流板は気流を遮る。気流は整流板の縁に沿って記録ディスクの外周に向かって誘導される。気流は、記録ディスクおよび気流誘導面の間に区画される空間に流入する。その結果、記録ディスク上の気流の滞留は抑制される。ヘッドスライダの振動は抑制される。ヘッドスライダは目標の記録トラックに対して高い精度で位置決めされることができる。こういった記録ディスク駆動装置は一層の記録密度の向上に大いに貢献することができる。
【０００９】
気流誘導面および記録ディスクの間に区画される空間には集塵部材が配置されればよい。こうして空間に流入する気流に集塵部材は曝される。集塵部材の働きで、記録ディスク駆動装置内で塵埃は確実に集塵されることができる。こうした集塵部材で気流に対して圧力損失が回避されれば、前述の空間内で気流の流通は妨げられることはない。
【００１０】
筐体に２枚以上の記録ディスクが組み込まれる際に、整流板は、隣接する記録ディスク同士の間に区画される空間に配置されればよい。こういった記録ディスク駆動装置では、整流板の働きで、隣接する記録ディスク同士の間の空間で気流の乱れは抑制される。本発明者の検証によれば、整流板および気流誘導面の働きで、浮上ヘッドスライダおよび磁気ディスクの間で相対変位は抑制されることが確認された。特に、記録ディスク同士の間では、ヘッドスライダの位置決めの精度が大きく改善することが確認された。
【００１１】
以上のような記録ディスク駆動装置は、整流板に隣接しつつ取り付け台から前方に延び、記録ディスク上の非データゾーン内で途切れる滑り台と、滑り台の前端に規定されて、ヘッドアクチュエータの先端を受け止める傾斜面と、傾斜面の後端から後方に向かって延びつつ滑り台上で途切れ、ヘッドアクチュエータの先端を受け止める誘導路とをさらに備えてもよい。
【００１２】
こういった記録ディスク駆動装置の実現にあたって、取り付け台と、取り付け台から前方に突き出る滑り台と、滑り台の前端よりも前方に向かって取り付け台から延び、所定の曲率で描かれる円弧上で側縁を規定する整流板と、滑り台の前端に規定されて、ヘッドアクチュエータ上のロードバーを受け止める傾斜面と、傾斜面の後端から後方に向かって延びつつ滑り台上で途切れ、ヘッドアクチュエータ上のロードバーを受け止める誘導路とを備えることを特徴とする記録ディスク駆動装置用ランプ部材は提供されればよい。こうして整流板の配置にあたってランプ部材が利用される。整流板およびランプ部材は一部品として取り扱われることができる。したがって、整流板の付加にも拘わらず記録ディスク駆動装置の組立工程の複雑化は極力回避されることができる。こういったランプ部材の実現にあたって、取り付け台、滑り台および整流板は例えば樹脂材料から一体に成型されればよい。
【００１３】
こういったランプ部材では、少なくとも２以上の整流板を備え、隣接する整流板同士の間には集塵部材が組み込まれればよい。こうして集塵部材の配置にあたってランプ部材が利用される。集塵部材およびランプ部材は一部品として取り扱われることができる。したがって、集塵部材の付加にも拘わらず記録ディスク駆動装置の組立工程の複雑化は極力回避されることができる。
【００１４】
第２発明によれば、記録ディスクと、記録ディスクの表面に向き合わせられるヘッドスライダと、先端でヘッドスライダを支持するヘッドアクチュエータと、ヘッドアクチュエータの先端を受け止め、記録ディスクから離れた位置にヘッドスライダを保持するランプ部材と、ランプ部材に組み込まれる集塵部材とを備えることを特徴とする記録ディスク駆動装置が提供される。
【００１５】
こうした記録ディスク駆動装置では、集塵部材はランプ部材に組み込まれることから、集塵部材は記録ディスクの周囲に配置される。集塵部材は、記録ディスクの回転で生じる気流に曝される。集塵部材の働きで、記録ディスク駆動装置内で塵埃は確実に集塵されることができる。
【００１６】
こういった記録ディスク駆動装置の実現にあたって、取り付け台と、取り付け台から突き出て、ヘッドアクチュエータ上のロードバーを受け止める滑り台と、取り付け台に固定される集塵部材とを備えることを特徴とする記録ディスク駆動装置用ランプ部材は提供されればよい。こうして集塵部材の配置にあたってランプ部材が利用される。集塵部材およびランプ部材は一部品として取り扱われることができる。集塵部材の付加にも拘わらず記録ディスク駆動装置の組立工程の複雑化は極力回避されることができる。
【発明の効果】
【００１７】
以上のように本発明によれば、気流の乱れの抑制に大いに貢献することができる記録ディスク駆動装置は提供される。また、本発明によれば、そういった記録ディスク駆動装置の実現に大いに役立つランプ部材は提供される。
【発明を実施するための最良の形態】
【００１８】
以下、添付図面を参照しつつ本発明の一実施形態を説明する。
【００１９】
図１は、本発明の記録ディスク駆動装置の一具体例すなわちハードディスク駆動装置（ＨＤＤ）１１の内部構造を概略的に示す。このＨＤＤ１１は、例えば平たい直方体の内部空間を区画する箱形の筐体本体１２を備える。収容空間には、記録ディスクとしての１枚以上の磁気ディスク１３が収容される。ここでは、収容空間には例えば２枚の磁気ディスク１３が収容される。磁気ディスク１３はスピンドルモータ１４の回転軸に装着される。スピンドルモータ１４は例えば５４００ｒｐｍや７２００ｒｐｍ、１００００ｒｐｍといった高速度で磁気ディスク１３を回転させることができる。筐体本体１２には、筐体本体１２との間で収容空間を密閉する蓋体すなわちカバー（図示されず）が結合される。
【００２０】
磁気ディスク１３の表面には、最内周記録トラック１５と最外周記録トラック１６との間にデータゾーン１７が区画される。データゾーン１７には同心円状に記録トラックが描かれる。最内周記録トラック１５の内側に区画される非データゾーン１８や最外周記録トラック１６の外側に区画される非データゾーン１９には情報すなわちデータは記録されない。
【００２１】
収容空間にはヘッドアクチュエータ２１がさらに収容される。このヘッドアクチュエータ２１はアクチュエータブロック２２を備える。アクチュエータブロック２２は、垂直方向に延びる支軸２３に回転自在に連結される。アクチュエータブロック２２には、支軸２３から水平方向に延びる複数のアクチュエータアーム２４が区画される。こういったアクチュエータブロック２２は例えば鋳造に基づきアルミニウムから成型されればよい。
【００２２】
個々のアクチュエータアーム２４の先端には、アクチュエータアーム２４から前方に延びるヘッドサスペンション２５が取り付けられる。ヘッドサスペンション２５の先端にはいわゆるジンバルばね（図示されず）が接続される。ジンバルばねの表面に浮上ヘッドスライダ２６は固定される。こうしたジンバルばねの働きで浮上ヘッドスライダ２６はヘッドサスペンション２５に対してその姿勢を変化させることができる。
【００２３】
浮上ヘッドスライダ２６にはいわゆる磁気ヘッドすなわち電磁変換素子（図示されず）が搭載される。この電磁変換素子は、例えば、薄膜コイルパターンで生成される磁界を利用して磁気ディスク１３に情報を書き込む薄膜磁気ヘッドといった書き込み素子と、スピンバルブ膜やトンネル接合膜の抵抗変化を利用して磁気ディスク１３から情報を読み出す巨大磁気抵抗効果（ＧＭＲ）素子やトンネル接合磁気抵抗効果（ＴＭＲ）素子といった読み出し素子とで構成されればよい。
【００２４】
浮上ヘッドスライダ２６には、磁気ディスク１３の表面に向かってヘッドサスペンション２５から押し付け力が作用する。磁気ディスク１３の回転に基づき磁気ディスク１３の表面で生成される気流の働きで浮上ヘッドスライダ２６には浮力が作用する。ヘッドサスペンション２５の押し付け力と浮力とのバランスで磁気ディスク１３の回転中に比較的に高い剛性で浮上ヘッドスライダ２６は浮上し続けることができる。
【００２５】
こういった浮上ヘッドスライダ２６の浮上中にヘッドアクチュエータ２１が支軸２３回りで回転すると、浮上ヘッドスライダ２６は磁気ディスク１３の半径線に沿って移動することができる。その結果、浮上ヘッドスライダ２６上の電磁変換素子は最内周記録トラック１５と最外周記録トラック１６との間でデータゾーン１７を横切ることができる。こうして浮上ヘッドスライダ２６上の電磁変換素子は目標の記録トラック上に位置決めされる。ヘッドアクチュエータ２１の回転は例えばボイスコイルモータ（ＶＣＭ）といった動力源２７の働きを通じて実現されればよい。
【００２６】
磁気ディスク１３の外周には、磁気ディスク１３の外周に対して等間隔に配置されるシュラウド面２８が規定される。すなわち、シュラウド面２８は磁気ディスク１３と同心円状に形成される。シュラウド面２８は磁気ディスク１３の外周面に向き合わせられる。筐体本体１２には、シュラウド面２８に沿って規定されるシュラウド２９が形成される。シュラウド２９は筐体本体１２の底板から立ち上がる。シュラウド２９はヘッドアクチュエータ２１の揺動範囲で途切れる。こういったシュラウド２９は例えば筐体本体１２に一体成型されればよい。磁気ディスク１３の回転中にＨＤＤ１１内で気流が生成される。シュラウド２９の働きで気流の乱れは抑制されることができる。
【００２７】
磁気ディスク１３の表面には第１整流板３１が向き合わせられる。第１整流板３１はシュラウド２９から磁気ディスク１３の内周に向かって水平面方向に沿って突き出る。第１整流板３１はヘッドアクチュエータ２１の上流に配置される。ここで、「上流」および「下流」は磁気ディスク１３の回転方向に基づき定義される。隣接する磁気ディスク１３同士の間では２つの磁気ディスク１３に共通に１片の第１整流板３１が配置される。磁気ディスク１３の回転中に磁気ディスク１３の表面に沿って気流が生成される。第１整流板３１の働きで気流の乱れは抑制されることができる。こうした第１整流板３１は例えば樹脂材料から構成されればよい。
【００２８】
ヘッドサスペンション２５の先端には、ヘッドサスペンション２５の先端から前方に延びるロードタブ３２が固定される。ロードタブ３２はヘッドアクチュエータ２１の揺動に基づき磁気ディスク１３の半径方向に移動することができる。ロードタブ３２の移動経路上にはランプ部材３３が配置される。ランプ部材３３およびロードタブ３２は協働でいわゆるロードアンロード機構を構成する。ランプ部材３３は例えば硬質プラスチック材料から成型されればよい。
【００２９】
図２に示されるように、ランプ部材３３は、磁気ディスク１３の外側で筐体本体１２に固定される取り付け台３４を備える。取り付け台３４は筐体本体１２の底板に例えばねじ留めされればよい。ランプ部材３３は、取り付け台３４から水平方向に磁気ディスク１３の回転軸に向かって延びる滑り台３５を備える。滑り台３５は最外周記録トラック１６の外側で磁気ディスク１３上の非データゾーン１９内で途切れる。すなわち、滑り台３５の先端は非データゾーン１９上の空間内に留められる。
【００３０】
滑り台３５の前端には、磁気ディスク１３の半径方向外側に向かって広がる傾斜面３６が規定される。この傾斜面３６は、磁気ディスク１３の半径方向外側に向かうにつれて磁気ディスク１３の表面から徐々に遠ざかる。傾斜面３６の後端には、同様に、磁気ディスク１３の半径方向外側に向かって延びる誘導路３７が接続される。誘導路３７は滑り台３５上で途切れる。誘導路３７の後端には窪み３８が接続される。
【００３１】
取り付け台３４には受け入れ孔すなわちスリット３９が区画される。スリット３９は例えば取り付け台３４の底面近くまで到達する。スリット３９には集塵部材すなわちフィルタ４１が受け入れられる。こうしてフィルタ４１は磁気ディスク１３の周囲に配置される。フィルタ４１は、磁気ディスク１３の回転で生じる気流に曝される。フィルタ４１には、例えばポリプロピレン樹脂から形成されるエレクトレットフィルタが用いられることができる。こうしたエレクトレットフィルタの働きで、気流の圧力損失は回避されつつ、塵埃は静電気に基づき効果的に集塵されることができる。
【００３２】
ランプ部材３３は、滑り台３５に隣接しつつ取り付け台３４から磁気ディスク１３の回転軸に向かって延びる第２整流板４２を備える。第２整流板４２はランプ部材３３に一体に形成される。第２整流板４２は滑り台３５の前端よりも前方すなわち磁気ディスク１３の回転軸に近づく。第２整流板４２は、ヘッドアクチュエータ２１の先端すなわちロードバー３２の先端で描かれる円弧４３の外側に不動に配置される。すなわち、第２整流板４２は浮上ヘッドスライダ２６の下流に配置される。第２整流板４２の側縁４４は、所定の曲率で描かれる円弧４５上に規定される。円弧４５はヘッドアクチュエータ２１の支軸２３から等距離に描かれる。すなわち、円弧４５は前述の円弧４３に等間隔に描かれる。磁気ディスク１３の円周方向に沿って測定される第２整流板４２の横幅は滑り台３５や傾斜面３６のそれよりも大きく設定されればよい。
【００３３】
図３に示されるように、隣接する磁気ディスク１３同士の間では２つの磁気ディスク１３に共通に１片の第２整流板４２が配置される。第２整流板４２はいずれの磁気ディスク１３にも等間隔に向き合わせられる。その一方で、取り付け台３４には、シュラウド面２８よりも外側で個々の磁気ディスク１３の外周面に向き合わせられる気流誘導面４６が規定される。気流誘導面４６および磁気ディスク１３の間には空間４７が区画される。空間４７には前述のフィルタ４１が配置される。
【００３４】
いま、磁気ディスク１３の回転が停止する場面を想定する。磁気ディスク１３の回転中に情報の書き込みや読み出しが完了すると、動力源２７は静止位置に向けて順方向にアクチュエータアーム２４を駆動する。図４に示されるように、浮上ヘッドスライダ２６が最外周記録トラック１６を越えて非データゾーン１９すなわちランディングゾーンに向き合うと、ロードバー３２は傾斜面３６に接触する。さらにアクチュエータアーム２４が揺動すると、ロードバー３２は傾斜面３６を登っていく。ロードバー３２が傾斜面３６を登るにつれて、浮上ヘッドスライダ２６は磁気ディスク１３の表面から徐々に遠ざかっていく。こうしてロードバー３２はランプ部材３３に受け止められる。アクチュエータアーム２４が完全に静止位置に位置決めされると、ロードバー３２は窪み３８に受け止められる。磁気ディスク１３の回転は停止する。こうしてロードバー３２はランプ部材３３上に保持されることから、無風状態にも拘わらず磁気ディスク１３に対する浮上ヘッドスライダ２６の衝突や接触は回避されることができる。磁気ディスク１３の表面に広がる潤滑剤と浮上ヘッドスライダ２６との吸着は効果的に阻止されることができる。
【００３５】
ＨＤＤ１１が情報の書き込みや読み出しといった指令を受け取ると、まず、磁気ディスク１３の回転が始まる。磁気ディスク１３の回転が定常状態に達すると、動力源２７は前述の順方向とは反対の逆方向にアクチュエータアーム２４を駆動し始める。ロードバー３２は窪み３８から誘導路３７を通って傾斜面３６に向かって進んでいく。さらにアクチュエータアーム２４が駆動すると、ロードバー３２は傾斜面３６を下っていく。こうしてロードバー３２が傾斜面３６を下っていく間に浮上ヘッドスライダ２６は磁気ディスク１３の表面に向き合う。浮上ヘッドスライダ２６には、磁気ディスク１３の表面に沿って生成される気流に基づき浮力が付与される。その後、アクチュエータアーム２４がさらに揺動すると、ロードバー３２は傾斜面３６すなわちランプ部材３３から離脱する。磁気ディスク１３が定常状態で回転する結果、ランプ部材３３に支えられなくても浮上ヘッドスライダ２６は磁気ディスク１３の表面から浮上し続けることができる。その後、アクチュエータアーム２４は目標の記録トラックに位置決めされる。
【００３６】
このＨＤＤ１１では、第２整流板４２は浮上ヘッドスライダ２６の下流に不動に配置される。しかも、第２整流板４２の側縁４４は支軸２３から等距離に描かれる円弧４５上に規定される。したがって、第２整流板４２および浮上ヘッドスライダ２６の間の距離は浮上ヘッドスライダ２６の位置に拘わらず一定に保持される。磁気ディスク１３の回転中、浮上ヘッドスライダ２６の下流では気流の乱れは確実に抑制されることができる。
【００３７】
同時に、第２整流板４２は気流を遮る。気流は第２整流板４２の側縁４４に沿って磁気ディスク１３の外周に向かって誘導される。気流は空間４７に流入する。その結果、磁気ディスク１３上の気流の滞留は抑制される。浮上ヘッドスライダ２６の振動は抑制される。浮上ヘッドスライダ２６は目標の記録トラックに対して高い精度で位置決めされることができる。こういったＨＤＤ１１は一層の記録密度の向上に大いに貢献することができる。なお、フィルタ４１では気流に対して圧力損失は回避されることから、空間４７内で気流の流通は妨げられることはない。
【００３８】
しかも、空間４７に流入する気流にフィルタ４１は曝される。ＨＤＤ１１内で気流に基づき塵埃はフィルタ４１で確実に集塵されることができる。フィルタ４１に例えばエレクトレットフィルタが用いられれば、静電気の働きに基づき塵埃は効果的に集塵されることができる。しかも、フィルタ４１の配置にあたってランプ部材３３が利用される。フィルタ４１およびランプ部材３３は一部品として取り扱われることができる。したがって、フィルタ４１の付加にも拘わらずＨＤＤ１１の組立工程の複雑化は極力回避されることができる。
【００３９】
同様に、このＨＤＤ１１では、第２整流板４２の配置にあたってランプ部材３３が利用される。第２整流板４２およびランプ部材３３は一部品として取り扱われることができる。したがって、第２整流板４２の付加にも拘わらずＨＤＤ１１の組立工程の複雑化は極力回避されることができる。こういったランプ部材３３の実現にあたって、取り付け台３４、滑り台３５および第２整流板４２は例えば樹脂材料から一体に成型されればよい。
【００４０】
本発明者は、以上のような第２整流板４２および気流誘導面４６の効果を検証した。検証にあたって本発明者は具体例に係るＨＤＤ１１を用意した。ＨＤＤ１１には２枚の磁気ディスク１３が組み込まれた。各磁気ディスク１３の表裏面に浮上ヘッドスライダ２６は向き合わせられた。ただし、フィルタ４１の組み込みは省略された。同時に、本発明者は比較例に係るＨＤＤを用意した。このＨＤＤには従来通りのランプ部材が組み込まれた。ただし、第２整流板およびフィルタの組み込みは省略された。
【００４１】
この検証では、スピンドルモータの回転に同期した位置決めずれ量（ＲＲＯ）と、スピンドルモータの回転に同期しない位置決めずれ量（ＮＲＲＯ）とが測定された。測定にあたって浮上ヘッドスライダは磁気ディスクの内周域および外周域、両者の半径方向中間位置に位置決めされた。磁気ディスクの回転に基づき４つの浮上ヘッドスライダで磁気ディスクから情報は読み出された。読み出された情報に基づきＲＲＯおよびＮＲＲＯは解析された。
【００４２】
具体例に係るＨＤＤでは、比較例に係るＨＤＤに比べて平均的にＮＲＲＯが改善されることが確認された。すなわち、第２整流板の働きで気流の乱れが抑制されることが確認された。第２整流板および気流誘導面の働きで、浮上ヘッドスライダおよび磁気ディスクの間で相対変位は抑制されることが確認された。特に、磁気ディスク同士の間では、これまで比較的に大きなＮＲＲＯが測定されていたものの、ＮＲＲＯは大幅に低減されることが確認された。第２整流板および気流整流面の働きで浮上ヘッドスライダの位置決めの精度が大きく改善することが確認された。
【００４３】
図５は振動の周波数特性を示す。ここでは、振動周波数は、隣接する磁気ディスク同士の間に配置される浮上ヘッドスライダに基づき測定された。浮上ヘッドスライダは磁気ディスクの外周域に位置決めされた。比較例に比べて具体例では振動周波数のゲインが低減されることが確認された。すなわち、第２整流板および気流誘導面の働きで、浮上ヘッドスライダおよび磁気ディスクの間で相対変位は抑制されることが確認された。浮上ヘッドスライダの位置決めの精度が大きく改善されることが確認された。
【００４４】
以上のようなＨＤＤ１１では、例えば図６に示されるように、下側の磁気ディスク１３の裏面に整流面４８が向き合わせられてもよい。整流面４８は、前述の第２整流板４２と同様に、磁気ディスク１３の回転軸に向かって延びる。整流面４８は、滑り台３５の前端よりも前方すなわち磁気ディスク１３の回転軸に近づく。整流面４８は円弧４３の外側に不動に配置される。整流面の側縁は前述の円弧４５上に規定される。磁気ディスク１３の円周方向に沿って測定される整流面４８の横幅は滑り台３５や傾斜面３６のそれよりも大きく設定されればよい。こういった整流面４８は、筐体本体１２の底板から盛り上がる突片４９の頂上面に規定されればよい。突片４９は例えば筐体本体１２に一体化されればよい。こうした整流面４８の働きで浮上ヘッドスライダ２６の下流では気流の乱れは確実に抑制されることができる。
【００４５】
（付記１）  筐体と、筐体に組み込まれる記録ディスクと、記録ディスクの表面に向き合わせられるヘッドスライダと、支軸に回転自在に連結され、先端でヘッドスライダを支持するヘッドアクチュエータと、ヘッドアクチュエータの先端で描かれる円弧の外側に配置され、支軸から等距離に描かれる円弧上で縁を規定する整流板とを備えることを特徴とする記録ディスク駆動装置。
（付記２）  付記１に記載の記録ディスク駆動装置において、前記記録ディスクの外側で前記筐体に固定されて、前記整流板を支持する取り付け台と、取り付け台に規定されて、前記記録ディスクのシュラウド面よりも外側で前記記録ディスクに向き合わせられる気流誘導面とをさらに備えることを特徴とする記録ディスク駆動装置。
（付記３）  付記２に記載の記録ディスク駆動装置において、前記気流誘導面および記録ディスクの間で区画される空間には集塵部材が配置されることを特徴とする記録ディスク駆動装置。
（付記４）  付記２に記載の記録ディスク駆動装置において、前記整流板に隣接しつつ前記取り付け台から前方に延び、前記記録ディスク上の非データゾーン内で途切れる滑り台と、滑り台の前端に規定されて、ヘッドアクチュエータの先端を受け止める傾斜面と、傾斜面の後端から後方に向かって延びつつ滑り台上で途切れ、ヘッドアクチュエータの先端を受け止める誘導路とをさらに備えることを特徴とする記録ディスク駆動装置。
【００４６】
（付記５）  付記１に記載の記録ディスク駆動装置において、前記筐体に２枚以上の前記記録ディスクが組み込まれる際に、前記整流板は、隣接する記録ディスク同士の間に区画される空間に配置されることを特徴とする記録ディスク駆動装置。
【００４７】
（付記６）  付記５に記載の記録ディスク駆動装置において、前記記録ディスクの外側で前記筐体に固定されて、前記整流板を支持する取り付け台と、取り付け台に規定されて、前記記録ディスクのシュラウド面よりも外側で前記記録ディスクに向き合わせられる気流誘導面とをさらに備えることを特徴とする記録ディスク駆動装置。
【００４８】
（付記７）  付記６に記載の記録ディスク駆動装置において、前記気流誘導面および記録ディスクの間で区画される空間には集塵部材が配置されることを特徴とする記録ディスク駆動装置。
【００４９】
（付記８）  付記６に記載の記録ディスク駆動装置において、前記整流板に隣接しつつ前記取り付け台から前方に延び、前記記録ディスク上の非データゾーン内で途切れる滑り台と、滑り台の前端に規定されて、ヘッドアクチュエータの先端を受け止める傾斜面と、傾斜面の後端から後方に向かって延びつつ滑り台上で途切れ、ヘッドアクチュエータの先端を受け止める誘導路とをさらに備えることを特徴とする記録ディスク駆動装置。
【００５０】
（付記９）  取り付け台と、取り付け台から前方に突き出る滑り台と、滑り台の前端よりも前方に向かって取り付け台から延び、所定の曲率で描かれる円弧上で側縁を規定する整流板と、滑り台の前端に規定されて、ヘッドアクチュエータ上のロードバーを受け止める傾斜面と、傾斜面の後端から後方に向かって延びつつ滑り台上で途切れ、ヘッドアクチュエータ上のロードバーを受け止める誘導路とを備えることを特徴とする記録ディスク駆動装置用ランプ部材。
（付記１０）  付記９に記載の記録ディスク駆動装置用ランプ部材において、少なくとも２以上の前記整流板を備え、隣接する整流板同士の間には集塵部材が組み込まれることを特徴とする記録ディスク駆動装置用ランプ部材。
【００５１】
（付記１１）  記録ディスクと、記録ディスクの表面に向き合わせられるヘッドスライダと、先端でヘッドスライダを支持するヘッドアクチュエータと、ヘッドアクチュエータの先端を受け止め、記録ディスクから離れた位置にヘッドスライダを保持するランプ部材と、ランプ部材に組み込まれる集塵部材とを備えることを特徴とする記録ディスク駆動装置。
【００５２】
（付記１２）  取り付け台と、取り付け台から突き出て、ヘッドアクチュエータ上のロードバーを受け止める滑り台と、取り付け台に固定される集塵部材とを備えることを特徴とする記録ディスク駆動装置用ランプ部材。
【図面の簡単な説明】
【００５３】
【図１】図１は、本発明に係る記録ディスク駆動装置の一具体例すなわちハードディスク駆動装置（ＨＤＤ）の平面図である。
【図２】図２は、第２整流板とロードタブとの相対関係を概略的に示す拡大部分平面図である。
【図３】図３は、気流誘導面と磁気ディスクとの相対関係を概略的に示す図である。
【図４】図４は、図２の４−４線に沿ったＨＤＤの拡大部分断面図であって、ランプ部材の構造および機能を概略的に示す図である。
【図５】図５は、磁気ディスクの外周域に位置決めされる浮上ヘッドスライダの振動の周波数特性を示すグラフである。
【図６】図６は、図３に対応し、本発明の変形例に係るＨＤＤを示す拡大部分断面図である。
【符号の説明】
【００５４】
１１  記録ディスク駆動装置（ハードディスク駆動装置）、１２  筐体本体（筐体）、１３  記録ディスク（磁気ディスク）、１７  データゾーン、１９  非データゾーン、２１  ヘッドアクチュエータ、２３  支軸、２６  ヘッドスライダ、２８  シュラウド面、３２  ロードバー、３３  ランプ部材、３４  取り付け台、３５  傾斜面、３６  誘導路、４１  集塵部材（フィルタ）、４２  第２整流板（整流板）、４３  円弧、４４  縁（側縁）、４５  円弧、４６  気流誘導面、４７  空間。
【図１】
2005216444.tif 000003
【図２】
2005216444.tif 000004
【図３】
2005216444.tif 000005
【図４】
2005216444.tif 000006
【図５】
2005216444.tif 000007
【図６】
2005216444.tif 000008